(57)【要約】  本発明は、少なくとも水溶性グリコールエーテル化合物及び水を含み、ベンジルアルコールの溶解度が１０ｖｏｌ％以上であるリンス剤であって、上記水溶性グリコールエーテル化合物１００重量部に対して、上記水の配合量が５０〜１０００重量部である、リンス剤を提供する。
2019163465.tif 000002
【特許請求の範囲】
【請求項１】
少なくとも水溶性グリコールエーテル化合物及び水を含み、ベンジルアルコールの溶解度が１０ｖｏｌ％以上であるリンス剤であって、
前記水溶性グリコールエーテル化合物１００重量部に対して、前記水の配合量が５０〜１０００重量部である、リンス剤。
【請求項２】
室温から８０℃の温度範囲における光透過率が９０％以上である、請求項１に記載のリンス剤。
【請求項３】
引火点が５０℃以上である、請求項１又は２に記載のリンス剤。
【請求項４】
感光性ソルダーレジスト硬化体により表面が保護されたプリント基板の表面に対する水の初期の接触角をθ1とし、
前記プリント基板を３０℃のリンス剤に１０分間浸漬した後、１００℃で５分の条件で乾燥させた前記プリント基板の表面に対する水の接触角をθ2としたときに、
接触角θ２とθ１との差の絶対値｜θ2−θ1｜が３°以下である、請求項１〜３のいずれか一項に記載のリンス剤。
【請求項５】
前記水溶性グリコールエーテル化合物は、その沸点が２５０℃以下である、請求項１〜４のいずれか一項に記載のリンス剤。
【請求項６】
前記水溶性グリコールエーテル化合物は、エチレングリコールモノプロピルエーテル、エチレングリコールモノ−ｔｅｒｔ−ブチルエーテル、３−メトキシ−３−メチルブタノール、３−メトキシブタノール、エチレングリコールモノイソプロピルエーテル、ジエチレングリコールイソプロピルメチルエーテル、ジプロピレングリコールモノメチルエーテル、ジエチレングリコールエチルメチルエーテル、トリエチレングリコールジメチルエーテル、及びジエチレングリコールジメチルエーテルからなる群より選択される少なくとも１種の化合物である、請求項１〜５のいずれか一項に記載のリンス剤。
【請求項７】
沸点が２５０℃以下であるアミン化合物を更に含み、
当該アミン化合物の配合量は、前記水溶性グリコールエーテル化合物１００重量部に対して、０．１〜１０重量部である、請求項１〜６のいずれか一項に記載のリンス剤。
【請求項８】
下記工程（１）〜（２）を含む、リンス剤の使用方法。
（１）ベンジルアルコール及び疎水性グリコールエーテル化合物、あるいはいずれか一方を含む洗浄剤を用いて、被洗浄物に付着したフラックスを洗浄する工程
（２）前記工程（１）で洗浄された前記被洗浄物を、少なくとも水溶性グリコールエーテル化合物及び水を含み、前記ベンジルアルコールの溶解度が１０ｖｏｌ％以上であるリンス剤であって、前記水溶性グリコールエーテル化合物１００重量部に対して、前記水の配合量が５０〜１０００重量部であるリンス剤を用いてリンスする工程
【発明の詳細な説明】
【技術分野】
【０００１】
本発明は、リンス剤及びリンス剤の使用方法に関する。特に、所定量の水を含むことにより、環境安全性（例えば、作業環境安全性）に優れる一方、特定洗浄剤（ベンジルアルコール等）による被洗浄物に対する洗浄後に、優れたリンス性を発揮できるリンス剤及びそのようなリンス剤の使用方法に関する。
【背景技術】
【０００２】
工業用洗浄剤、例えば、フラックス用洗浄剤は、ソルダペーストを用いて、被洗浄物である電子部品をプリント配線基板の電極に接合した後、フラックス及びフラックス残渣を除去するために、幅広く使用されている。
そのため、良好な洗浄性を発揮し、環境問題等が比較的少ないことから、各種グリコール系化合物を主成分とした、グリコール系洗浄剤からなるフラックス用洗浄剤が使用されている。
【先行技術文献】
【特許文献】
【０００３】
【特許文献１】ＷＯ２００９／０２０１９９号公報
【特許文献２】特開平７−０８０４２３号公報
【特許文献３】特開平５−１７５６４１号公報
【発明の概要】
【発明が解決しようとする課題】
【０００４】
特定構造式で表される非ハロゲン系有機溶剤（Ａ）と、特定構造式で表されるアミン化合物（Ｂ）と、アミノ基非含有キレート剤（Ｃ）と、必要に応じて、所定量の水とを含んでなる鉛フリーハンダフラックス除去用洗浄剤組成物が開示されている（例えば、ＷＯ２００９／０２０１９９号公報（特許文献１）参照）。【０００５】
また、非イオン性界面活性剤及び／又は炭化水素化合物等を含んでなる洗浄剤組成物を用いて洗浄工程を実施した後、５〜１００℃の水を使用するリンス工程と、を有する洗浄方法が開示されている（例えば、特開平７−０８０４２３号公報（特許文献２）参照）。【０００６】
さらにまた、ロジン系ハンダフラックスが付着した基板に、特定のグリコールエーテル系化合物を含有してなる洗浄剤を接触せしめ、該基板よりフラックス洗浄除去し、次いですすぎ剤として低級アルコールもしくはその水溶液等を接触せしめる基板の洗浄処理方法が開示されている（例えば、特開平５−１７５６４１号公報（特許文献３）参照）。【０００７】
しかしながら、特許文献１に開示されたフラックス用洗浄剤自体は、通常、沸点が高く、短時間に乾燥させることが困難であるという課題があった。さらに、当該フラックス用洗浄剤は、被洗浄物に対する清浄度が低下しやすいという問題が見られた。
そのため、水及び含水アルコール等のリンス剤を用いて、フラックス用洗浄剤を置換しつつ、被洗浄物を乾燥させるプロセスを設けることが必要であるという問題が見られた。【０００８】
また、特許文献２に開示された洗浄方法の場合、洗浄剤組成物の種類が過度に制限されるという課題があった。さらに、当該洗浄方法の場合、リンス工程における水温を、厳格に所定範囲内の値（５〜１００℃）に制御しなければならないという問題が見られた。
その上、リンス剤として水を用いた場合、乾燥性が悪いばかりか、疎水性のフラックス用洗浄剤、例えば、ベンジルアルコール等に対する溶解性が低いため、濯ぎ不良となりやすいという問題も見られた。【０００９】
特許文献３に開示された基板の洗浄処理方法の場合、リンス剤として含水アルコールを用いていることから、疎水性のフラックス用洗浄剤に対する溶解性は、比較的良好である。しかしながら、当該リンス剤は、引火点が低く、環境安全性（例えば、作業環境安全性）が不十分であるという問題が見られた。【００１０】
そこで、本発明の発明者は鋭意検討した結果、水溶性グリコールエーテル化合物の配合量と、水の配合量との割合を所定割合としたリンス剤であって、かつ、リンス剤におけるベンジルアルコールの溶解度を所定値以上とすることによって、従来の問題を解決することを見出した。
すなわち、本発明は、疎水性の特定洗浄剤（ベンジルアルコール等）による被洗浄物の洗浄後に用いられる、環境安全性（例えば、作業環境安全性）に優れた水系リンス剤であって、かつ、優れたリンス性を発揮することができるリンス剤及びこのようなリンス剤の使用方法を提供することを目的とする。
【課題を解決するための手段】
【００１１】
本発明によれば、少なくとも水溶性グリコールエーテル化合物及び水を含み、ベンジルアルコールの溶解度が１０ｖｏｌ％以上であるリンス剤であって、水溶性グリコールエーテル化合物１００重量部に対して、水の配合量が５０〜１０００重量部であるリンス剤が提供される。本発明によれば、上述した問題点を解決することができる。
このように水溶性グリコールエーテル化合物の配合量と、水の配合量との割合を所定範囲内の値とした、環境安全性（例えば、作業環境安全性）に優れたリンス剤である。
そして、単位体積当たりのリンス剤に対するベンジルアルコールの溶解度を所定値以上とすることによって、従来水ではすすぎが困難であったベンジルアルコール等の疎水性化合物をはじめ、様々な洗浄剤をすすぐことが出来る。そのため、被洗浄物における所定洗浄剤の残留が極めて少ないリンス剤を提供することができる。【００１２】
また、本発明のリンス剤を構成するにあたり、室温から８０℃の温度範囲における光透過率が９０％以上であることが好ましい。
このように所定温度範囲において、所定の光透過率を有することによって、室温から８０℃までの温度範囲において相分離することなく、事実上、曇点を有しないと判断することができる。したがって、通常の使用温度範囲では、曇点を有さず、透明性を維持することから、使い勝手が良好なリンス剤を提供することができる。【００１３】
また、本発明のリンス剤を構成するにあたり、リンス剤の引火点が５０℃以上であることが好ましい。
このように引火点を有する場合であっても、所定温度以上の値とすることによって、より環境安全性（例えば、作業環境安全性）に優れるリンス剤を提供することができる。【００１４】
また、本発明のリンス剤を構成するにあたり、感光性ソルダーレジスト硬化体によって表面が保護されたプリント基板のレジスト表面に対する水の初期接触角をθ１とし、上記プリント基板を３０℃のリンス剤に１０分間浸漬した後、１００℃で５分の条件で乾燥させた該プリント基板のレジスト表面に対する水の接触角をθ２としたときに、｜θ２−θ１｜が３°以下であることが好ましい。
このように所定接触角の差の絶対値とすることによって、プリント基板等の被洗浄物に対する悪影響が少ないリンス剤を、定量的に提供することができる。【００１５】
また、本発明のリンス剤を構成するにあたり、水溶性グリコールエーテル化合物は、その沸点(大気圧下)が２５０℃以下であることが好ましい。
このように水溶性グリコールエーテル化合物の沸点を制限することによって、リンス剤の再生をさらに容易に行うことができ、かつ、乾燥性にもさらに優れたものとなる。【００１６】
また、本発明のリンス剤を構成するにあたり、水溶性グリコールエーテル化合物は、エチレングリコールモノプロピルエーテル、エチレングリコールモノ−ｔｅｒｔ−ブチルエーテル、３−メトキシ−３−メチルブタノール、３−メトキシブタノール、エチレングリコールモノイソプロピルエーテル、ジエチレングリコールイソプロピルメチルエーテル、ジプロピレングリコールモノメチルエーテル、ジエチレングリコールエチルメチルエーテル、トリエチレングリコールジメチルエーテル及びジエチレングリコールジメチルエーテルからなる群より選ばれる少なくとも１種の化合物であることが好ましい。
このような水溶性グリコールエーテル化合物を用いることによって、環境安全性（例えば、作業環境安全性）に優れるとともに、洗浄剤の残留が少なく、さらには、比較的安価なリンス剤を提供することができる。【００１７】
また、本発明のリンス剤を構成するにあたり、上記リンス剤は沸点が２５０℃以下であるアミン化合物を更に含み、当該アミン化合物の配合量は、水溶性グリコールエーテル化合物１００重量部に対して、０．１〜１０重量部であることが好ましい。
このように所定沸点を有するアミン化合物を所定量配合することによって、洗浄剤中に含まれるフラックス残渣との相溶性を上げることができるとともに、リンス剤の再生をさらに容易に行うことができ、かつ、プリント基板等の被洗浄物に対する悪影響が少ないリンス剤で被洗浄物を効率的に洗浄することができるリンス剤を提供することができる。【００１８】
本発明の別の態様は、下記工程（１）〜工程（２）を有することを特徴としたリンス剤の使用方法である。
（１）被洗浄物に付着したフラックスを、ベンジルアルコール及び疎水性グリコールエーテル化合物、あるいはいずれか一方を含む洗浄液で洗浄する工程
（２）上記工程（１）で洗浄された被洗浄物を、少なくとも水溶性グリコールエーテル化合物及び水を含み、ベンジルアルコールの溶解度が１０ｖｏｌ％以上であるリンス剤であって、水溶性グリコールエーテル化合物１００重量部に対して、水の配合量が５０〜１０００重量部であるリンス剤を用いて、リンスする工程
このように水溶性グリコールエーテル化合物の配合量と、水の配合量との割合を所定範囲内の値とし、かつ、ベンジルアルコールの溶解度を所定値以上としたリンス剤を用いることによって、所定洗浄剤を用いて被洗浄物を効率的に洗浄した後であっても、環境安全性（例えば、作業環境安全性）に優れたリンス処理を行うことができる。
その上、洗浄工程において、所定洗浄剤を用いた場合であっても、従来水ではすすぎが困難であったベンジルアルコール等の疎水性化合物をはじめ、様々な洗浄剤をすすぐことが出来、被洗浄物における所定洗浄剤の残留が極めて少ないリンス剤でリンス処理を行うことができる。
【発明の効果】
【００１９】
本発明によれば、疎水性の特定洗浄剤（ベンジルアルコール等）による被洗浄物の洗浄後に用いられる、環境安全性（例えば、作業環境安全性）に優れた水系リンス剤であって、かつ、優れたリンス性を発揮することができるリンス剤及びこのようなリンス剤の使用方法を提供することが可能になる。
【図面の簡単な説明】
【００２０】
【図１】図１は、リンス剤の単位体積（１００ｍｌ）に対する、ベンジルアルコールの溶解度（ｖｏｌ％）と、相溶性（すすぎ性）の評価点（相対値）との関係を説明するために供する図である。
【発明を実施するための形態】
【００２１】
[第１の実施形態]
第１の実施形態は、少なくとも水溶性グリコールエーテル化合物及び水を含み、ベンジルアルコールの溶解度が１０ｖｏｌ％以上であるリンス剤であって、水溶性グリコールエーテル化合物１００重量部に対して、水の配合量を５０〜１０００重量部の範囲内の値とすることを特徴とするリンス剤である。
言い換えると、上記リンス剤は、少なくとも水溶性グリコールエーテル化合物及び水を含み、ベンジルアルコールの溶解度が１０ｖｏｌ％以上であるリンス剤であって、
上記水溶性グリコールエーテル化合物１００重量部に対して、上記水の配合量が５０〜１０００重量部である。
以下、本発明の第１の実施形態のリンス剤を、適宜図面を参照しながら、具体的に説明する。なお、本明細書において「Ａ〜Ｂ」という形式の表記は、範囲の上限下限（すなわちＡ以上Ｂ以下）を意味し、Ａにおいて単位の記載がなく、Ｂにおいてのみ単位が記載されている場合、Ａの単位とＢの単位とは同じである。
【００２２】
１.水溶性グリコールエーテル化合物
水溶性グリコールエーテル化合物は、リンス剤の主成分である。ここで、「グリコールエーテル化合物」とは、ジオール又はその縮合体の水酸基の片方又は両方がエーテル化した化合物を意味する。
そして、本発明のリンス剤を構成するグリコールエーテル化合物は、上記の第１工程（工程（１））で使用したもの（洗浄液に含まれる疎水性グリコールエーテル化合物）とは異なり、水溶性グリコールエーテル化合物である。
この理由は、かかる水溶性グリコールエーテル化合物を用いることにより、水１００重量部に１００ｍｌ溶解させても、懸濁又は分離が生じないことになるためである。
そして、被洗浄物に残留する疎水性を有するベンジルアルコール又は疎水性グリコールエーテル化合物を除去して、被洗浄物を効率的にリンスすることが可能になるためである。
なお、ここで使用される水溶性グリコールエーテル化合物としては、例えば、水への溶解度（測定温度：２０℃）が５０重量％を超える水溶性を示すものが好ましい。
【００２３】
また、本発明で使用する水溶性グリコールエーテル化合物は、その沸点（大気圧下）を、通常、２５０℃以下の値とすることが好ましい。すなわち、上記水溶性グリコールエーテル化合物は、その沸点（大気圧下）が２５０℃以下であることが好ましい。本実施形態において、「大気圧」は１０１３．２５ｈＰａである。
この理由は、このような沸点を有する水溶性グリコールエーテル化合物を使用することにより、リンス剤の再生をさらに容易に行うことができ、かつ、得られるリンス剤が引火性でなくなり、環境安全性（例えば、作業環境安全性）にもさらに優れたものとなるためである。
従って、本発明のリンス剤は、引火点を有する場合であっても、それが５０℃以上であるか、又は引火点を有していないことが好ましい。
すなわち、洗浄装置の運転中に、リンス剤への引火の危険性がなくなり、非常に安定したリンス工程を含む洗浄作業を行うことができる。
よって、水溶性グリコールエーテル化合物の沸点を１２０〜２３０℃の範囲内の値とすることがより好ましく、１４０〜２２０℃の範囲内の値とすることがさらに好ましい。
【００２４】
また、このような水溶性グリコールエーテル化合物の具体例としては、エチレングリコールモノプロピルエーテル（ＰＳ）、エチレングリコールモノ−ｔｅｒｔ−ブチルエーテル（ＥＴＢ）、３−メトキシ−３−メチルブタノール（ＭＭＢ）、２−メトキシブタノール（２ＭＢ）、３−メトキシブタノール（３ＭＢ）、エチレングリコールモノイソプロピルエーテル（ｉＰＧ）、ジエチレングリコールイソプロピルメチルエーテル（ＩＰＤＭ）、ジプロピレングリコールモノメチルエーテル（ＤＰＭ）、ジエチレングリコールエチルメチルエーテル（ＭＥＤＧ）、トリエチレングリコールジメチルエーテル（ＤＭＴＧ）及びジエチレングリコールジメチルエーテル（ＤＭＤＧ）からなる群より選ばれる少なくとも一種類の化合物を挙げることができる。
上記水溶性グリコールエーテル化合物は、一種を単独で使用してもよいし、複数種を組み合わせて使用してもよい。複数種の上記水溶性グリコールエーテルの組み合わせとしては、例えば、ＰＳとＭＭＢ、ＰＳと３ＭＢ、ＰＳとＩＰＤＭ、ＰＳとＤＰＭ、ＰＳとＤＭＴＧ、ＥＴＢとＭＭＢ、ＥＴＢとＤＰＭ、ＭＭＢとＤＰＭ、及びＭＭＢとＤＭＴＧが挙げられる。なお、上記水溶性グリコールエーテル化合物の三種以上を組み合わせてもよいことは言うまでもない。
【００２５】
本実施形態の一側面において、上記水溶性グリコールエーテル化合物は、以下の式１、式２又は式３で表される構造を有する化合物であってもよい。
ＨＯ−［Ｃ３Ｈ６−Ｏ］２−Ｒ１    （式１）
Ｒ２−Ｏ−［（ＣＨ２）２−Ｏ］３−Ｒ３    （式２）
ＣＨ３−ＣＲ４Ｒ５−ＣＲ６Ｒ７−ＣＨ２−ＯＨ    （式３）
（式１中、Ｒ１は炭素数１〜３のアルキル基を示す。式２中、Ｒ２は炭素数１又は２のアルキル基を示し、Ｒ３は水素原子又は炭素数１又は２のアルキル基を示す。式３中、Ｒ４及びＲ６は、一方が水素原子を示し、他方が炭素数１又は２のアルコキシ基を示す。式３中、Ｒ５及びＲ７は、一方が水素原子を示し、他方が水素原子又は炭素数１若しくは２のアルキル基を示す。）
【００２６】
式１中、−［Ｃ３Ｈ６−Ｏ］２−で表される基としては、例えば、−［（ＣＨ２）３−Ｏ］２−で表される基、−［ＣＨ２ＣＨ（ＣＨ３）−Ｏ］２−で表される基、及び−［ＣＨ（ＣＨ３）ＣＨ２−Ｏ］２−で表される基が挙げられる。本実施形態において、式１中の−［Ｃ３Ｈ６−Ｏ］２−で表される基は、−［ＣＨ２ＣＨ（ＣＨ３）−Ｏ］２−で表される基であることが好ましい。
【００２７】
そして、これらの水溶性グリコールエーテル化合物中、エチレングリコールモノプロピルエーテル、エチレングリコールモノ−ｔｅｒｔ−ブチルエーテル、３−メトキシ−３−メチルブタノール、ジプロピレングリコールモノメチルエーテル、トリエチレングリコールジメチルエーテル等であれば、安全性、疎水性化合物との相溶性（すすぎ性）、乾燥性の理由から、より好適な水溶性グリコールエーテル化合物として使用することができる。
【００２８】
２.水
リンス剤を構成するにあたり、水溶性グリコールエーテル化合物１００重量部に対して、水の配合量を５０〜１０００重量部の範囲内の値とすることを特徴とする。言い換えると、上記水溶性グリコールエーテル化合物１００重量部に対して、上記水の配合量が５０〜１０００重量部である。
この理由は、過度に水の配合量が少なくなると、得られるリンス剤の引火性が高まったり、レジストに対する悪影響（接触角変化）が生じたりする場合があるためである。
一方、過度に水の配合量が多くなると、リンス剤によるリンス性又はフラックスの再付着防止性が著しく低下する場合があるためである。
【００２９】
したがって、リンス剤を構成するにあたり、水溶性グリコールエーテル化合物１００重量部に対して、水の配合量を８０〜６００重量部の範囲内の値とすることが好ましく、１００〜４００重量部の範囲内の値とすることがさらに好ましい。言い換えると、上記水溶性グリコールエーテル化合物１００重量部に対して、水の配合量が８０〜６００重量部であることが好ましく、１００〜４００重量部であることがさらに好ましい。
そして、水溶性グリコールエーテル化合物に対して、配合する水としては、純水（イオン交換水、蒸留水等）が好ましく、電気伝導率が１０μＳ／ｃｍ程度の清浄性を有することが好ましく、１μＳ／ｃｍ程度の清浄性を有することがより好ましい。言い換えると、上記水は、その電気伝導率が１〜１０μＳ／ｃｍであることが好ましく、１〜５μＳ／ｃｍであることがより好ましい。
【００３０】
３.溶解度
また、リンス剤の特性に関して、当該リンス剤の単位体積（１００ｍｌ）に対する、ベンジルアルコールの溶解度を１０ｖｏｌ％以上の値とすることを特徴とする。言い換えると、上記リンス剤の単位体積（１００ｍｌ）に対する、ベンジルアルコールの溶解度が１０ｖｏｌ％以上である。
すなわち、本発明で使用するリンス剤は、特定の洗浄剤、例えば、ベンジルアルコール又は疎水性グリコールエーテル化合物を用いた場合であっても、それらが付着した被洗浄物をリンスするため、上述の構成を備える。
ここで、ベンジルアルコールの溶解度を指標としたのは、ベンジルアルコール、疎水性グリコールエーテル化合物のうち、当該リンス剤への溶解性が最も低いのがベンジルアルコールであるためである。
また、かかるリンス剤の単位体積（１００ｍｌ）に対する、ベンジルアルコールの溶解度が１０ｖｏｌ％以上の値であれば、洗浄時の濁度の値の変化を極力低下させることができ、透明性に富んだリンス剤の状態を維持できるためである。
【００３１】
但し、かかるリンス剤の単位体積（１００ｍｌ）に対する、ベンジルアルコールの溶解度が過度に大きくなると、使用可能な水溶性グリコールエーテル化合物の種類が過度に制限される場合がある。
したがって、かかるリンス剤の単位体積（１００ｍｌ）に対する、ベンジルアルコールの溶解度を１５ｖｏｌ％〜４０ｖｏｌ％の範囲内の値とすることが好ましく、２０ｖｏｌ％〜３０ｖｏｌ％の範囲内の値とすることがさらに好ましい。
【００３２】
ここで、図１を参照して、リンス剤の単位体積（１００ｍｌ）に対する、ベンジルアルコールの溶解度（ｖｏｌ％）と、相溶性（すすぎ性、又はリンス性）の評価点（相対値）との関係を説明する。
すなわち、図１の横軸に、リンス剤の単位体積に対する、ベンジルアルコールの溶解度（ｖｏｌ％）をとって示してあり、縦軸に、相溶性（すすぎ性、又はリンス性）の評価点（相対値）をとって示してある。ここで、縦軸の評価点０、１、２、３、４及び５は、それぞれ後述する実施例におけるリンス性の評価Ｅ、Ｄ、Ｃ、Ｂ、Ａ’及びＡに対応している。
そして、図１中の特性曲線から判断して、ベンジルアルコールの溶解度が５ｖｏｌ％程度では、評価点は未だ低いものの、ベンジルアルコールの溶解度が１０ｖｏｌ％を超えると、急激に評価点が高くなる傾向がある。
そして、ベンジルアルコールの溶解度（ｖｏｌ％）が１５ｖｏｌ％程度を超え、少なくとも２５ｖｏｌ％程度までは、最高の評価点が得られている。
したがって、リンス剤におけるベンジルアルコールの溶解度を１０ｖｏｌ％以上に適宜調整することにより、相溶性（すすぎ性、又はリンス性）の評価に関して、良好な結果が得られることが理解される。
【００３３】
４.所定沸点のアミン化合物
また、本発明で使用するリンス剤には、大気圧下の沸点が２５０℃以下のアミン化合物を配合することが好ましい。すなわち、上記リンス剤は、沸点が２５０℃以下であるアミン化合物を更に含むことが好ましい。
この理由は、かかる沸点を有するアミン化合物を配合することにより、リンス剤の再生を大きく妨げることなく、フラックスの溶解度を高めることができ、ひいては、洗浄性の向上が図られるためである。
その上、かかるアミン化合物を配合することにより、フラックスの再付着についても有効に防止でき、かかるリンス剤を洗浄剤としての機能も発揮させるためである。
したがって、かかるアミン化合物の沸点を１２０〜２３０℃の範囲内の値とすることがより好ましく、１４０〜２２０℃の範囲内の値とすることがさらに好ましい。
【００３４】
本実施形態において「アミン化合物」とは、アンモニアの水素原子を炭化水素基又は芳香族原子団で置換した化合物を意味する。上記アミン化合物には、第一級アミン、第二級アミン及び第三級アミンが含まれる。また、他の側面において、上記アミン化合物には、脂肪族アミン及び芳香族アミンが含まれる。さらに他の側面において、上記アミン化合物には、モノアミン、ジアミン及びポリアミンが含まれる。
【００３５】
また、このような沸点を有するアミン化合物の配合量を、リンス剤中に含まれる水溶性グリコールエーテル化合物１００重量部に対して、通常、０．１〜１０重量部の範囲内の値とすることが好ましい。言い換えると、当該アミン化合物の配合量は、上記水溶性グリコールエーテル化合物１００重量部に対して、０．１〜１０重量部であることが好ましい。
すなわち、過度に少なく配合すると、アミン化合物の配合効果が得られない場合があるためである。
一方、過度に配合すると、洗浄装置を構成する金属、基板における導体等を腐食させたり、臭気が強くなったりする場合があるためである。
したがって、上記アミン化合物の配合量は、リンス剤中に含まれる水溶性グリコールエーテル化合物１００重量部に対して、０．２〜５重量部の範囲内の値とすることがより好ましく、０．５〜３重量部の範囲内の値とすることがさらに好ましい。
【００３６】
また、沸点が２５０℃以下のアミン化合物の引火点を３０〜１００℃の範囲内の値とすることが好ましい。すなわち、上記アミン化合物は、その引火点が３０〜１００℃であることが好ましい。
このような引火点を有するアミン化合物であれば、比較的多く配合したとしても、リンス剤の引火点の変動が殆ど発現しないためである。
【００３７】
よって、沸点が２５０℃以下のアミン化合物の好適例としては、Ｎ，Ｎ，Ｎ’，Ｎ’−テトラメチル−１，６−ヘキサメチレンジアミン（ＴＭＨＭＤＡ）、Ｎ，Ｎ，Ｎ’，Ｎ’−テトラメチル−１，４−ジアミノブタン（ＴＭＤＡＢ）、Ｎ，Ｎ，Ｎ’，Ｎ’−テトラメチル−１，３−ジアミノプロパン（ＴＭＤＡＰ）、ジブチルアミン（ＤＢＡ）、Ｎ，Ｎ−ジエチルヒドロキシアミン（ＤＥＨＡ）、Ｎ−エチルエタノールアミン（ＭＥＭ）の一種単独又は二種以上の組み合わせを挙げることができる。二種以上の上記アミン化合物の組み合わせとしては、例えば、ＤＢＡとＤＥＨＡが挙げられる。
【００３８】
本実施形態の一側面において、沸点が２５０℃以下のアミン化合物は、以下の式４〜式７のいずれかで表される構造を有する化合物であってもよい。式７中、−ＣｑＨ２ｑ−で表される基は、直鎖状であってもよいし（ｑが１〜４の整数の場合）、分岐鎖状であってもよい（ｑが２〜４の整数の場合）。式７中、−ＣｒＨ２ｒ−で表される基は、直鎖状であってもよいし（ｒが１〜４の整数の場合）、分岐鎖状であってもよい（ｒが２〜４の整数の場合）。
（ＣＨ３）２−Ｎ−（ＣＨ２）ｎ−Ｎ−（ＣＨ３）２    （式４）
（Ｈ−（ＣＨ２）ｍ）２−ＮＨ（式５）
（Ｈ−（ＣＨ２）ｐ）２−Ｎ−ＯＨ    （式６）
Ｈ−ＣｑＨ２ｑ−ＮＨ−ＣｒＨ２ｒ−ＯＨ    （式７）
（式４中、ｎは３〜６の整数を示す。式５中、ｍは４又は５の整数を示す。式６中、ｐは２〜４の整数を示す。式７中、ｑは１〜４の整数を示し、ｒは１〜４の整数を示す。）
【００３９】
５.他の配合成分
また、リンス剤に配合される、その他の成分としては、酸化防止剤、帯電防止剤、界面活性剤、粘度調整剤等の少なくとも一種を挙げることができる。
そして、これらの成分の配合量は、それぞれ配合目的に応じて適宜決めることができるが、通常、リンス剤の全体量に対して、０．０１〜１０重量％の範囲内の値とすることが好ましい。
【００４０】
６．引火点
ＪＩＳ  Ｋ  ２２６５−１及び４（引火点の求め方）に準じて測定されるリンス剤の引火点を５０℃以上の値とすることが好ましい。すなわち、上記リンス剤は、その引火点が５０℃以上であることが好ましい。
この理由は、リンス剤が引火点を有する場合であっても、その値が５０℃以上であれば、取り扱いがさらに容易になるとともに、安全性をさらに向上させることができるためである。
但し、リンス剤が引火点を有する場合、その値が１２０℃を超えると、再生上、使用可能なリンス剤の配合成分の種類が過度に制限されたり、コストが高くなって、経済的に不利となったりする場合がある。
したがって、リンス剤の引火点を６０〜１２０℃の範囲内の値とすることが好ましく、７０〜１００℃の範囲内の値とすることがさらに好ましい。
【００４１】
７.光透過率
また、室温から８０℃の温度範囲における、リンス剤の光透過率（可視光透過率）を９０％以上の値とすることが好ましい。すなわち、上記リンス剤は、室温から８０℃の温度範囲における光透過率が９０％以上であることが好ましい。
この理由は、このような温度範囲（室温から８０℃）において、所定の光透過率を有することによって、相分離することなく、事実上、曇点を有しないと判断することができるためである。したがって、所定温度範囲内に曇点を有しない以上、使い勝手が良好なリンス剤を提供することができる。
すなわち、このようにリンス剤が相分離せず透明な間は、前工程である洗浄工程で使用したベンジルアルコール、疎水性グリコールエーテル化合物等を有効に相溶することができるためである。それと共にフラックスの再付着も起こらず、充分にリンス剤として機能することができるためである。
したがって、室温から８０℃の温度範囲における、リンス剤の光透過率を９５％以上の値とすることがより好ましく、９８％以上の値とすることがさらに好ましい。上記光透過率の上限は、本発明の効果を損なわない範囲において特に制限されないが、例えば、１００％以下が挙げられる。
なお、光透過率の測定は、分光光度計（日本分光株式会社製、製品名：紫外可視分光光度計Ｖ−５３０）を用いて、可視光（波長６６０ｎｍ）、室温（２５℃）〜８０℃の条件で行う。
【００４２】
８．接触角
また、本発明で使用するリンス剤につき、被洗浄物に対する表面改質を少なくすることが好ましい。
すなわち、本発明で使用するリンス剤と被洗浄物とが接触しても、被洗浄物の乾燥後における水の接触角変化が非常に少なく、本発明のリンス剤が被洗浄物に及ぼす影響が極めて少ないといえる。
より具体的には、感光性ソルダーレジスト硬化体によって表面が保護されたプリント基板のレジスト表面に対する水の初期接触角をθ１とし、３０℃のリンス剤に１０分間浸漬した後のこのレジスト表面に対する水の接触角をθ２としたときに、これら接触角の差の絶対値｜θ２−θ１｜を３°以下の値とすることが好ましい。
言い換えると、感光性ソルダーレジスト硬化体により表面が保護されたプリント基板のレジスト表面に対する水の初期の接触角をθ1とし、上記プリント基板を３０℃のリンス剤に１０分間浸漬した後、１００℃で５分の条件で乾燥させた上記プリント基板のレジスト表面に対する水の接触角をθ2としたときに、接触角θ２とθ１との差の絶対値｜θ2−θ1｜が３°以下であることが好ましい。
この理由は、かかる接触角の差の絶対値が３°を超えると、レジストの封止樹脂との密着性又は電気絶縁性、さらには機械的強度が過度に低下する場合があるためである。
したがって、かかる接触角の差の絶対値｜θ２−θ１｜を２°以下の値とすることがより好ましく、１°以下の値とすることがさらに好ましい。上記接触角の差の絶対値｜θ２−θ１｜の下限は特に制限されないが、例えば、０°以上が挙げられる。
【００４３】
９．製造方法
本実施形態に係るリンス剤の製造方法は、上述した水溶性グリコールエーテル化合物及び水などの成分を混合する工程を含む。当該混合する工程は、上述した水溶性グリコールエーテル化合物及び水などの成分が均一に混合されれば、どのような手法を用いてもよい。混合する工程としては、例えば、フラスコに所定の成分を加えて、マグネチックスターラーで攪拌混合することが挙げられる。また、化学プラント等において、工業的規模で上述した水溶性グリコールエーテル化合物及び水などの成分を混合してもよい。
【００４４】
[第２の実施形態]
第２の実施形態は、下記工程（１）〜工程（２）を有することを特徴としたリンス剤の使用方法である。
（１）被洗浄物に付着したフラックスを、ベンジルアルコール及び疎水性グリコールエーテル化合物、あるいはいずれか一方を含む洗浄液で洗浄する工程。
（２）上記工程（１）で洗浄された被洗浄物を、少なくとも水溶性グリコールエーテル化合物及び水を含み、ベンジルアルコールの溶解度が１０ｖｏｌ％以上であるリンス剤であって、水溶性グリコールエーテル化合物１００重量部に対して、水の配合量を５０〜１０００重量部としたリンス剤を用いてリンスする工程
すなわち、第２の実施形態は、工程（１）〜工程（２）を有することを特徴とした特定洗浄剤及びリンス剤を用いてなるフラックスの洗浄方法でもある。
【００４５】
上記第２の実施形態の他の側面において、上記リンス剤の使用方法は、下記工程（１）〜（２）を含む、リンス剤の使用方法である。
（１）ベンジルアルコール及び疎水性グリコールエーテル化合物、あるいはいずれか一方を含む洗浄剤を用いて、被洗浄物に付着したフラックスを洗浄する工程
（２）上記工程（１）で洗浄された上記被洗浄物を、少なくとも水溶性グリコールエーテル化合物及び水を含み、上記ベンジルアルコールの溶解度が１０ｖｏｌ％以上であるリンス剤であって、上記水溶性グリコールエーテル化合物１００重量部に対して、上記水の配合量が５０〜１０００重量部であるリンス剤を用いてリンスする工程
【００４６】
１．工程（１）
工程（１）は、ハンダ付けされた半導体素子、例えば、ＢＧＡ（ｂａｌｌ  ｇｒｉｄ  ａｒｒａｙ）、ＣＳＰ（ｃｈｉｐ  ｓｉｚｅ  ｐａｃｋａｇｅ）、ＰＧＡ（ｐｉｎ  ｇｒｉｄ  ａｒｒａｙ）、ＬＧＡ（ｌａｎｄ  ｇｒｉｄ  ａｒｒａｙ）等の半導体部品、半導体搭載ＴＡＢ（ｔａｐｅ  ａｕｔｏｍａｔｅｄ  ｂｏｎｄｉｎｇ）テープ、半導体搭載リードフレーム、半導体搭載コンデンサ、半導体搭載抵抗、半導体素子用基板などの被洗浄物を、洗浄剤を用いて洗浄する工程である。
すなわち、これらの被洗浄物のハンダ付けに際して、フラックスが使用されるので、ハンダ付けされた部分にはフラックスが付着していることになる。
そして、このようなフラックスは、ロジンを主成分とし、有機酸塩、グリシジルエーテル化合物、オキシ酸、（ジ）カルボン酸などが含有されている。
また、加熱下でハンダ付けされることから、当該フラックスはロジン等の熱変成体も含有されることになる。
そのため、水溶性のグリコールエーテル化合物を用いて、フラックスを除去するのは非常に困難であることから、フラックスの除去には疎水性のグリコールエーテル化合物又はベンジルアルコールが好適に使用される。
【００４７】
したがって、使用するベンジルアルコール類（単に、「ベンジルアルコール」と称する場合もある。）の好適例としては、エチルベンジルアルコール、メチルベンジルアルコール、ベンジルアルコールなどを挙げることができるが、これらは単独使用又は二種以上の組み合わせで使用されることになる。
そして、特に本発明では、ベンジルアルコールを使用することが最も好ましい。
この理由は、ベンジルアルコールであれば、比較的短時間であっても、優れた洗浄性を示すことができるためである。
【００４８】
また、本発明で使用される疎水性グリコールエーテル化合物の例としてはプロピレングリコールモノブチルエーテル（ＢＦＧ）、ジプロピレングリコールジメチルエーテル（ＤＭＦＤＧ）、ジプロピレングリコールモノブチルエーテル（ＢＦＤＧ）、ジプロピレングリコールモノプロピルエーテル（ＰＦＤＧ）、ジエチレングリコールモノヘキシルエーテル（ＨｅＤＧ）、エチレングリコールモノフェニルエーテル（ＰｈＧ）、ジエチレングリコールモノフェニルエーテル（ＰｈＤＧ）、エチレングリコールモノベンジルエーテル（ＢｚＧ）、プロピレングリコールモノフェニルエーテル（ＰｈＦＧ）、ジエチレングリコールジブチルエーテル（ＤＢＤＧ）等の一種単独又は二種以上の組み合わせを挙げることができる。なお、ここで使用される疎水性グリコールエーテル化合物としては、例えば、水への溶解度（測定温度：２０℃）が５０重量％以下の疎水性を示すものが好ましい。
【００４９】
さらにまた、本発明において、ベンジルアルコールと、疎水性グリコールエーテル化合物とは両者を混合して使用することもできる。
また、ベンジルアルコール又は疎水性グリコールエーテル化合物に、その他の成分を配合することもできる。
なお、洗浄剤に配合される、その他の成分としては、水溶性グリコールエーテル化合物、アミン化合物、酸化防止剤、帯電防止剤、界面活性剤、防錆剤、粘度調整剤等の少なくとも一つを挙げることができる。
【００５０】
２．工程（２）
工程（２）は、工程（１）において、所定洗浄剤を用いて洗浄した被洗浄物を、所定のリンス剤を用いてリンスする工程である。
そして、工程（２）において、第１の実施形態で説明したリンス剤を用いることにより、工程（１）の洗浄工程において使用したベンジルアルコール等の溶解度を１０ｖｏｌ％以上と高い値に調整することができる。
したがって、工程（１）の特定洗浄剤に起因して、工程（２）のリンス剤に対して、比較的多量のベンジルアルコールが流入したとしても、リンス剤は、室温から８０℃までの間に相分離することがなく、濁度が低下せず、所定の透明性を維持することができる。
【００５１】
また、本発明で使用するリンス剤は、上述のように水溶性グリコールエーテル化合物に特定量の水を配合することにより、ベンジルアルコールの溶解度を１０ｖｏｌ％以上に保持することができる。
そのため、洗浄剤に起因して、リンス剤に混入するベンジルアルコール又は疎水性グリコールエーテル化合物を容易に相溶することができる。
しかも本発明のリンス剤によれば、洗浄剤に溶解したフラックスの再付着も有効に抑制することができ、洗浄液としての機能も発揮するため、非常に清浄度の高い被洗浄物を得ることができる。
【００５２】
３．乾燥工程
リンス処理（工程（２））を行った後、被洗浄物を乾燥させる工程を実施することが好ましい。
かかる乾燥条件については、適宜設定できるが、乾燥温度を、通常、６０〜１２０℃の範囲内の値とすることが好ましく、８０〜１００℃の範囲内の値とすることがより好ましい。
そして、この範囲内の乾燥温度において、通常は、１〜２０分間、好ましくは５〜１０分間、熱風を吹き付けることにより乾燥が行われる。
このように短時間で乾燥ができるのは、本発明のリンス剤を水系にして、沸点が比較的高いものの、所定のグリコールエーテルを少量加えるという構成を採用したからである。
したがって、上記のようにして乾燥させることにより、リンス剤の配合成分はほぼ完全に除去されて、防錆剤などの残留を意図した成分以外は、被洗浄物の表面には余剰成分は殆ど残存しない状態になる。
【実施例】
【００５３】
次に本発明の実施例を示して本発明をさらに詳細に説明するが、本発明はこれらにより限定されるものではない。
なお、次表に実施例のリンス剤を構成するのに使用する化合物の名称とその略号及びその物性を表記する。【００５４】
【表１】
2019163465.tif 000003
【００５５】
[実施例１]
１．工程（１）
洗浄装置として、マイクロクリーナーＭＣ３ＵＳＨＤ−１．５Ｅ（化研テック株式会社製）を用いるとともに、その洗浄槽において、洗浄液としてベンジルアルコールを収容した。
次いで、洗浄装置を動作させ、被洗浄物としての半導体素子付き基板を洗浄した。
すなわち、洗浄槽に収容した洗浄液であるベンジルアルコールを用いて、それに被洗浄物を浸漬させ、７０℃、５分間の条件で、超音波洗浄を行った。【００５６】
２．工程（２）
次いで、洗浄槽において洗浄した被洗浄物を、搬送装置を用いてリンス槽に移動させた。
すなわち、リンス液を収容したリンス槽において、３０℃で５分間の条件で、被洗浄物に対して、リンス剤に対する浸漬処理を行い、さらにリンス処理を行った。このリンス剤の組成及び特性を表２に示す。
なお、リンス剤を貯留したリンス槽には、所定の蒸留装置が設けられており、リンス液を蒸留して、相溶しているベンジルアルコールの分離を行った。【００５７】
３．乾燥工程
上記のようにしてリンス処理を行った被洗浄物を、リンス槽から取り出し、１００℃、５分の乾燥条件で、熱風乾燥を行った。
その結果、被洗浄物の表面から、リンス剤等は完全に除去されたことを目視にて確認した。【００５８】
４．物性評価（１）
（１）ベンジルアルコールの溶解度の測定方法
容量２００ｍｌのメスシリンダーにリンス剤を１００ｍｌ秤取る。ここにベンジルアルコールを１ｍｌ滴下して攪拌する。攪拌して溶液が均一透明であれば、再度ベンジルアルコールを１ｍｌ滴下して攪拌する。
そして、上記の滴下及び攪拌を繰り返して、攪拌後白濁／分離した時点での滴下したベンジルアルコールの全容量（ｍｌ）を測定して、最終的にリンス剤に対してベンジルアルコールが、何ｍｌ溶解したかを測定した。
それからベンジルアルコールの溶解量（ｖｏｌ％）を算出して、リンス剤に対するベンジルアルコールの溶解度とした。【００５９】
（２）リンス性（すすぎ性）の評価方法
ベンジルアルコール及びリンス剤各２００ｇを、それぞれ容量３００ｍｌのビーカー内部に収容した。その後、ベンジルアルコールは温度を６０℃に、リンス剤は３０℃に温度を維持した。
次いで、ガラスエポキシ基板を、ベンジルアルコール入りビーカーの内部に収容し、その状態で、当該ベンジルアルコール入りビーカー内のマグネチックスターラーを回転させて、１０分の浸漬を行った。
次いで、マグネチックスターラーの回転を止めて、ガラスエポキシ基板をベンジルアルコールから取り出した後、ガラスエポキシ基板を、リンス剤入りビーカーの内部に収容し、その状態で、当該リンス剤入りビーカー内のマグネチックスターラーを回転させて、所定時間の浸漬を行った。
次いで、マグネチックスターラーの回転を止めて、ガラスエポキシ基板をリンス剤から取り出し、１００℃に保持された循環オーブンを用いて、１０分間の乾燥を行った。
その後、乾燥させたガラスエポキシ基板を循環オーブンから取り出し、目視により表面観察し、以下の基準に照らして、リンス剤のリンス性（すすぎ性）評価を行った。
Ａ  ：  リンス時間５分でベンジルアルコールの液残りなし。
Ａ’：  リンス時間７分でベンジルアルコールの液残りなし。
Ｂ  ：  リンス時間１０分でベンジルアルコールの液残りなし。
Ｃ  ：  リンス時間１０分でベンジルアルコールの液残りが少々ある。
Ｄ  ：  リンス時間１０分でベンジルアルコールの多くの液残りがある。
Ｅ  ：  リンス時間１５分でベンジルアルコールの多くの液残りがある。【００６０】
（３）乾燥性の評価方法
リンス剤２００ｇを、容量３００ｍｌのビーカー内部に収容した後、温度を３０℃に維持した。
次いで、ガラスエポキシ基板を、２００ｇのリンス剤入りビーカーの内部に収容し、その状態で、当該ビーカー内のマグネチックスターラーを回転させて、１０分の浸漬を行った。次いで、マグネチックスターラーの回転を止めて、ガラスエポキシ基板をリンス剤から取り出し、１００℃に保持された循環オーブンを用いて、所定時間の乾燥を行った。その後、乾燥させたガラスエポキシ基板を循環オーブンから取り出し、目視により表面観察し、以下の基準に照らして、リンス剤の乾燥性評価を行った。
Ａ  ：  ５分以内で、乾燥可能である。
Ａ’：  ７分以内で、乾燥可能である。
Ｂ  ：  １０分以内で、乾燥可能である。
Ｃ  ：  １０分間の乾燥で、液残りが少々ある。
Ｄ  ：  １０分間の乾燥で、多くの液残りがある。【００６１】
（４）イオン交換水接触角度の測定方法
感光性ソルダーレジスト（日立化成工業（株）製ＳＲシリーズ）により表面が保護されたプリント配線基板を接触角測定標準サンプルとして用いた。洗浄前のソルダーレジスト表面と、各種リンス剤で攪拌浸漬３０℃／１０分の条件でリンス処理した後、熱風１００℃／５分間の条件で乾燥処理したレジスト表面に対して、イオン交換水の接触角の変化（｜θ2−θ1｜）を測定した。ここで、θ１は洗浄前のソルダーレジスト表面に対するイオン交換水の接触角（初期の接触角）を示し、θ２は上述のリンス処理及び乾燥処理を施したレジスト表面に対するイオン交換水の接触角を示す。【００６２】
（５）曇点の測定方法
サンプル（リンス剤）の液温を２０℃にして、外観を測定しながら徐々に昇温して、サンプルが白濁又は分離し始めた時の温度を曇点とした。
但し、かかる曇点は、少なくとも室温から８０℃の温度範囲において、存在しないことが好ましい。
すなわち、このような使用温度範囲（室温から８０℃）では、曇点を有さず、透明性を維持することから、使い勝手が良好なリンス剤を提供することができるためである。
したがって、このように所定温度範囲において、透明性を有しており、所定の光透過率を有することによって、室温から８０℃までの温度範囲において相分離することがないほうが、実用上、便利である。
なお、後述する表２〜表４における曇点の「なし」との評価は、２０℃〜８０℃の範囲においてリンス剤が白濁及び分離しなかったことを意味する。【００６３】
（６）濁度の測定方法、フラックスの再付着性評価
市販のポストフラックス（型番：スパークルフラックスＰＯ−Ｚ―７(千往金属工業(株)製)を用いて、当該ポストフラックスから溶剤成分を留去した後、回収した固形分残渣（フラックス）を試料とした。
そして、ベンジルアルコールに対して３重量％になるようにフラックスを添加した。
こうして得られたフラックス混入ベンジルアルコール溶液を、各リンス剤に１重量％添加し、水質計ＷＡ−１（日本電色工業(株)製）を使用し濁度を測定した。この濁度をフラックスの再付着性の指標とした。なお、濁度が０に近いほど透明かつ均一で再付着しにくいといえる。【００６４】
（７）引火点の測定方法
リンス剤の引火点は、ＪＩＳ  Ｋ  ２２６５−１及び４（引火点の求め方）に準じて測定した。
なお、引火点については、有しないほうが好適であるが、あったとしても、５０℃以上の温度であることが好ましい。ここで、「引火点を有しない」とは室温以上、上記リンス剤の沸点以下の範囲において引火点が存在しないことを意味する。【００６５】
[実施例２]
実施例２においては、実施例１の工程（２）で使用したエチレングリコールモノプロピルエーテル（ＰＳ）の代わりに、ＥＴＢを同量使用した以外は、同様にして被洗浄物の処理を行った。得られた結果を表２に示す。【００６６】
[実施例３]
実施例３においては、実施例１の工程（２）で使用したエチレングリコールモノプロピルエーテル（ＰＳ）の代わりに、ＭＭＢを同量使用した以外は、同様にして被洗浄物の処理を行った。得られた結果を表２に示す。【００６７】
[実施例４]
実施例４においては、実施例１の工程（２）で使用したエチレングリコールモノプロピルエーテル（ＰＳ）の代わりにｉＰＧを同量使用した以外は、同様にして被洗浄物の処理を行った。得られた結果を表２に示す。【００６８】
[実施例５]
実施例５においては、実施例１の工程（２）で使用したエチレングリコールモノプロピルエーテル（ＰＳ）の代わりにＤＰＭを同量使用した以外は、同様にして被洗浄物の処理を行った。得られた結果を表２に示す。【００６９】
[実施例６]
実施例６においては、実施例１の工程（２）で使用したエチレングリコールモノプロピルエーテル（ＰＳ）の代わりにＭＥＤＧを同量使用した以外は、同様にして被洗浄物の処理を行った。得られた結果を表２に示す。【００７０】
[実施例７]
実施例７においては、実施例１の工程（２）で使用したエチレングリコールモノプロピルエーテル（ＰＳ）の代わりにＤＭＴＧを同量使用した以外は、同様にして被洗浄物の処理を行った。得られた結果を表２に示す。【００７１】
[実施例８]
実施例８においては、実施例１の工程（２）で使用したエチレングリコールモノプロピルエーテル（ＰＳ）の代わりにＤＭＤＧを同量使用した以外は、同様にして被洗浄物の処理を行った。得られた結果を表２に示す。【００７２】
[実施例９]
実施例９においては、実施例１の工程（２）で使用したエチレングリコールモノプロピルエーテル（ＰＳ）３０重量部の代わりに、ＰＳの使用量を２０重量部とし、水の量を８０重量部に変えた以外は、同様にして被洗浄物の処理を行った。得られた結果を表２に示す。【００７３】
[実施例１０]
実施例１０においては、実施例１の工程（２）で使用したエチレングリコールモノプロピルエーテル（ＰＳ）３０重量部の代わりにＰＳ１５重量部とＭＭＢ１５重量部とを使用した以外は、同様にして被洗浄物の処理を行った。得られた結果を表２に示す。【００７４】
[実施例１１]
実施例１１においては、実施例１の工程（２）で使用したエチレングリコールモノプロピルエーテル（ＰＳ）の代わりにＰＳ１５重量部と、ＭＭＢ１５重量部とを使用し、さらにアミン化合物としてＴＭＨＭＤＡを１重量部使用し、水の量を６９重量部に変えた以外は、同様にして被洗浄物の処理を行った。得られた結果を表２に示す。【００７５】
[実施例１２]
実施例１２においては、実施例１の工程（２）で使用したエチレングリコールモノプロピルエーテル（ＰＳ）の代わりにＰＳ１５重量部とＭＭＢ１５重量部とを使用し、さらにアミン化合物としてＤＢＡ０．５重量部とＤＥＨＡ０．５重量部をそれぞれ使用し、水の量を６９重量部に変えた以外は、同様にして被洗浄物の処理を行った。得られた結果を表２に示す。【００７６】
[実施例１３]
実施例１３においては、実施例１の工程（２）で使用したエチレングリコールモノプロピルエーテル（ＰＳ）３０重量部の代わりに、ＰＳ２０重量部及びＭＭＢ２０重量部を使用し、さらに、水の量を６０重量部に変えた以外は、同様にして被洗浄物の処理を行った。得られた結果を表２に示す。【００７７】
[実施例１４]
実施例１４においては、実施例１の工程（２）で使用したエチレングリコールモノプロピルエーテル（ＰＳ）３０重量部の代わりに、ＥＴＢを３０重量部使用し、さらにアミン化合物としてＴＭＨＭＤＡを１重量部使用し、さらには、水の量を６９重量部に変えた以外は、同様にして被洗浄物の処理を行った。得られた結果を表２に示す。【００７８】
[実施例１５]
実施例１５においては、実施例１の工程（２）で使用したエチレングリコールモノプロピルエーテル（ＰＳ）３０重量部の代わりに、ＤＰＭを３０重量部使用し、さらにアミン化合物としてＤＢＡを０．５重量部と、ＤＥＨＡを０．５重量部とを使用し、さらには、水の量を６９重量部に変えた以外は、同様にして被洗浄物の処理を行った。得られた結果を表２に示す。【００７９】
[実施例１６]
実施例１６においては、実施例１の工程（２）で使用したエチレングリコールモノプロピルエーテル（ＰＳ）３０重量部の代わりに、ＰＳ３０重量部及びＤＰＭ５重量部を使用し、さらに、水の量を６５重量部に変えた以外は、同様にして被洗浄物の処理を行った。得られた結果を表３に示す。【００８０】
[実施例１７]
実施例１７においては、実施例１の工程（２）で使用したエチレングリコールモノプロピルエーテル（ＰＳ）３０重量部の代わりに、ＰＳ１０重量部及びＤＭＴＧ３０重量部を使用し、さらに、水の量を６０重量部に変えた以外は、同様にして被洗浄物の処理を行った。得られた結果を表３に示す。【００８１】
[実施例１８]
実施例１８においては、実施例１の工程（２）で使用したエチレングリコールモノプロピルエーテル（ＰＳ）３０重量部の代わりに、ＥＴＢ１０重量部及びＭＭＢ２０重量部を使用した以外は、同様にして被洗浄物の処理を行った。得られた結果を表３に示す。【００８２】
[実施例１９]
実施例１９においては、実施例１の工程（２）で使用したエチレングリコールモノプロピルエーテル（ＰＳ）３０重量部の代わりに、ＥＴＢ１０重量部及びＤＰＭ１５重量部を使用し、さらに、水の量を７５重量部に変えた以外は、同様にして被洗浄物の処理を行った。得られた結果を表３に示す。【００８３】
[実施例２０]
実施例２０においては、実施例１の工程（２）で使用したエチレングリコールモノプロピルエーテル（ＰＳ）３０重量部の代わりに、ＭＭＢ２５重量部及びＤＰＭ１５重量部を使用し、さらに、水の量を６０重量部に変えた以外は、同様にして被洗浄物の処理を行った。得られた結果を表３に示す。【００８４】
[実施例２１]
実施例２１においては、実施例１の工程（２）で使用したエチレングリコールモノプロピルエーテル（ＰＳ）３０重量部の代わりに、ＭＭＢ１５重量部及びＤＭＴＧ２０重量部を使用し、さらにアミン化合物としてＴＭＨＭＤＡを１重量部使用し、さらには、水の量を６４重量部に変えた以外は、同様にして被洗浄物の処理を行った。得られた結果を表３に示す。【００８５】
[実施例２２]
実施例２２においては、実施例１の工程（２）で使用したエチレングリコールモノプロピルエーテル（ＰＳ）３０重量部の代わりに、ＰＳ１５重量部及びＭＭＢ１５重量部を使用し、さらにアミン化合物としてＴＭＤＡＰを１重量部使用し、さらには、水の量を６９重量部に変えた以外は、同様にして被洗浄物の処理を行った。得られた結果を表３に示す。【００８６】
[実施例２３]
実施例２３においては、実施例１の工程（２）で使用したエチレングリコールモノプロピルエーテル（ＰＳ）３０重量部の代わりに、ＰＳ１５重量部及び３ＭＢ１５重量部を使用し、さらに、水の量を７０重量部に変えた以外は、同様にして被洗浄物の処理を行った。得られた結果を表３に示す。【００８７】
[実施例２４]
実施例２４においては、実施例１の工程（２）で使用したエチレングリコールモノプロピルエーテル（ＰＳ）３０重量部の代わりに、ＰＳ２０重量部及びＩＰＤＭ２０重量部を使用し、さらに、水の量を６０重量部に変えた以外は、同様にして被洗浄物の処理を行った。得られた結果を表３に示す。【００８８】
[比較例１]
比較例１においては、実施例１の工程（２）で使用したエチレングリコールモノプロピルエーテル（ＰＳ）を３０重量部使用する代わりに、ＰＳの使用量を８０重量部に変え、水の使用量を２０重量部に変えた以外は同様にして被洗浄物の処理を行った。得られた結果を表４に示す。【００８９】
[比較例２]
比較例２においては、実施例１の工程（２）で使用したエチレングリコールモノプロピルエーテル（ＰＳ）を３０重量部使用する代わりに、ＰＳを１５重量部、ＢＦＧを３重量部使用し、さらには、水の使用量を８２重量部に変えた以外は、同様にして被洗浄物の処理を行った。得られた結果を表４に示す。【００９０】
[比較例３]
比較例３においては、実施例１の工程（２）で使用したエチレングリコールモノプロピルエーテル（ＰＳ）を３０重量部使用する代わりに、ＢＦＧを４０重量部使用し、水の量を６０重量部に変えた以外は、同様にして被洗浄物の処理を行った。得られた結果を表４に示す。【００９１】
[比較例４]
比較例４においては、実施例１の工程（２）で使用したエチレングリコールモノプロピルエーテル（ＰＳ）を３０重量部使用する代わりにＤＭＦＤＧを２５重量部使用し、水の量を７５重量部に変えた以外は、同様にして被洗浄物の処理を行った。得られた結果を表４に示す。【００９２】
[比較例５]
比較例５においては、実施例１の工程（２）で使用したエチレングリコールモノプロピルエーテル（ＰＳ）を３０重量部使用する代わりにＤＭＦＤＧを２０重量部とＭＭＢを１０重量部とを使用し、アミン化合物としてＭＥＭを１重量部使用し、水の量を６９重量部に変えた以外は、同様にして被洗浄物の処理を行った。得られた結果を表４に示す。【００９３】
[比較例６]
比較例６においては、実施例１の工程（２）で使用したエチレングリコールモノプロピルエーテル（ＰＳ）を３０重量部使用する代わりに、ＤＥＤＧを３０重量部使用した以外は同様にして被洗浄物の処理を行った。得られた結果を表４に示す。【００９４】
[比較例７]
比較例７においては、実施例１の工程（２）で使用したエチレングリコールモノプロピルエーテル（ＰＳ）を３０重量部使用する代わりにｉＢＧを３０重量部使用した以外は、同様にして被洗浄物の処理を行った。得られた結果を表４に示す。【００９５】
[比較例８]
実施例１においては、工程（２）で使用したエチレングリコールモノプロピルエーテル（ＰＳ）を３０重量部使用する代わりに、エタノールを６０重量部使用し、水の量を４０重量部に変えた以外は、同様にして被洗浄物の処理を行った。得られた結果を表４に示す。【００９６】
【表２】
2019163465.tif 000004
【００９７】
【表３】
2019163465.tif 000005
【００９８】
【表４】
2019163465.tif 000006
【００９９】
５．物性評価（２）
（１）光透過率の測定方法
実施例１〜２４及び比較例１〜８のリンス剤の光透過率を以下の方法で測定した。まず、リンス剤２００ｇを、容量３００ｍｌのビーカーに収容した。次いで、所定の温度（２０、４０又は８０℃）に維持し、マグネチックスターラーを用いてビーカー内の撹拌子回転させ、リンス剤を撹拌した。撹拌後のリンス剤を直ちに分光光度計のセルに収容した後、その光透過率を、以下の条件で測定した。測定結果を表５に示す。表５の結果から実施例１〜２４のリンス剤は、室温から８０℃の温度範囲における光透過率が９０％以上であることが確認された。
分光光度計：紫外可視分光光度計Ｖ−５３０（日本分光株式会社製）
測定波長  ：可視光（６６０ｎｍ）【０１００】
【表５】
2019163465.tif 000007
【産業上の利用可能性】
【０１０１】
以上説明したように、本発明によれば、水溶性グリコールエーテル化合物の配合量と、水の配合量との割合を所定範囲内の値とするとともに、ベンジルアルコールの溶解度を所定値以上とすることによって、環境安全性（例えば、作業環境安全性）を著しく高めることができた。また、本発明によれば、従来の水溶性グリコールエーテル化合物だけでなく、ベンジルアルコール、疎水性グリコールエーテル化合物等の疎水性溶剤による被洗浄物に対するリンス性及び乾燥性を向上させることができるようになった。【０１０２】
また、本発明によれば、洗浄後のリンス性も優れているとともに、洗浄性及びフラックスの再付着防止性についても向上していることから、リンス剤としても、洗浄剤としても、両用使用が可能となった。【０１０３】
さらに、本発明は、所定リンス剤を用いた使用方法であることから、所定洗浄剤を用いて被洗浄物を効率的に洗浄した後、環境安全性（例えば、作業環境安全性）及び再生性に優れるとともに、洗浄剤の残留が少ない被洗浄物を効率的に得ることができるようになった。
よって、本発明のリンス剤及びそれを用いた使用方法によれば、産業上、被洗浄物を安全かつ効率的に、しかも安価に洗浄したり、リンスしたりすることが大いに期待される。【０１０４】
以上のように本発明の実施形態及び実施例について説明を行なったが、上述の各実施形態及び各実施例の構成を適宜組み合わせることも当初から予定している。【０１０５】
今回開示された実施の形態及び実施例はすべての点で例示であって、制限的なものではないと考えられるべきである。本発明の範囲は上記した実施の形態及び実施例ではなく請求の範囲によって示され、請求の範囲と均等の意味、及び範囲内でのすべての変更が含まれることが意図される。
【図１】
2019163465.tif 000008
【国際調査報告】
2019163465.tif 000009
2019163465.tif 000010
2019163465.tif 000011
2019163465.tif 000012